(57)【要約】【課題】  業務プロセスが要求仕様等により変わるような設計業務，複雑な解析作業であっても、業務処理の効率向上を図る。【解決手段】  一連の単位業務プロセスの順序を定義した業務プロセスを作成し、設計業務を誘導する業務支援システムにおいて、複数の雛形モデルに対して設計諸元データが記憶されている設計諸元データベース１０３と、要求仕様データと各雛形モデルの設計諸元データの差異を抽出し、記憶した仕様変更箇所データ１０５と、単位業務プロセスに対して、先行プロセス，後続プロセス、および工数データが記憶されている単位業務プロセス群データ１０６と、差異に関連した単位業務プロセスが記憶された設計諸元−業務プロセス関連データ１０７と、を備え、仕様変更箇所データ１０５における差異と設計諸元−業務プロセス関連データ１０７とに基づき単位業務プロセスを抽出し、業務プロセスデータ１０９を作成する。【選択図】図１
2009104562.tif 000002
【特許請求の範囲】
【請求項１】
コンピュータを用いて、各設計諸元の要求仕様より必要とされる一連の単位業務プロセスの順序を定義した業務プロセスを作成し、設計業務を誘導する業務支援システムにおいて、
前記要求仕様が記憶されている要求仕様データと、
複数の雛形モデルに対して設計諸元データが記憶されている設計諸元データベースと、
前記要求仕様データと各前記雛形モデルの設計諸元データの差異を抽出し、記憶した仕様変更箇所データと、
前記単位業務プロセスに対して、先行プロセス，後続プロセス、および工数データが記憶されている単位業務プロセス群データと、
前記差異に関連した前記単位業務プロセスが記憶された設計諸元−業務プロセス関連データと、
を備え、前記差異と前記設計諸元−業務プロセス関連データとに基づいて前記差異に関連した前記単位業務プロセスを抽出し、抽出された前記単位業務プロセスと前記先行プロセス及び前記後続プロセスとに基づいて前記業務プロセスとなる業務プロセスデータ作成することを特徴とする業務支援システム。
【請求項２】
請求項１に記載のものにおいて、前記業務プロセスデータを複数作成し、複数の業務プロセスデータを入出力装置に表示し、選択可能としたことを特徴とする業務支援システム。
【請求項３】
請求項１に記載のものにおいて、前記単位業務プロセスに関連付けられた中間成果物データを備え、該中間成果物データに関連する前記単位業務プロセスを前記単位業務プロセス群データ及び設計諸元−業務プロセス関連データ１０７から抽出し、抽出された前記単位業務プロセスと前記先行プロセス及び前記後続プロセスとに基づいて前記業務プロセスとなる業務プロセスデータを新たに作成することを特徴とする業務支援システム。
【請求項４】
請求項１に記載のものにおいて、前記業務プロセスデータと共に、前記業務プロセスにおける前記単位業務プロセスの合計となる工数を算出し、表示することを特徴とする業務支援システム。
【請求項５】
請求項１に記載のものにおいて、前記設計諸元−業務プロセス関連データに前記差異に関連した前記単位業務プロセスに対応した品質指標及び技術難度指標が属性データとして記憶されていることを特徴とする業務支援システム。
【請求項６】
請求項１に記載のものにおいて、前記設計諸元−業務プロセス関連データに前記差異に関連した前記単位業務プロセスに対応した品質指標及び技術難度指標が属性データとして記憶され、前記業務プロセスデータと共に、表示することを特徴とする業務支援システム。
【請求項７】
コンピュータを用いて、各設計諸元の要求仕様より必要とされる一連の単位業務プロセスの順序を定義した業務プロセスを作成し、設計業務を誘導する業務支援システムに用いられるプログラムであって、
前記要求仕様を格納する機能と、
複数の雛形モデルに対して設計諸元データを格納する機能と、
前記要求仕様データと各前記雛形モデルの設計諸元データの差異を抽出し、を格納する機能と、
前記単位業務プロセスに対して、先行プロセス，後続プロセス、および工数データを格納する機能と、
前記差異に関連した前記単位業務プロセスを格納する機能と、
前記仕様変更箇所データにおける前記差異と前記設計諸元−業務プロセス関連データとに基づいて前記差異に関連した前記単位業務プロセスを抽出する機能と、
抽出された前記単位業務プロセスと前記先行プロセス及び前記後続プロセスとに基づいて前記業務プロセスとなる業務プロセスデータ作成する機能と、を実現するプログラム。
【発明の詳細な説明】
【技術分野】
【０００１】
本発明は、コンピュータを利用して設計などに係わる業務処理を誘導する業務支援システムに関し、特に、要求仕様を満たすべき機能や性能によって、業務プロセスが変動するような設計業務に好適である。
【背景技術】
【０００２】
近年、製品開発期間短縮，信頼性向上等を目的にして、コンピュータを用いて解析作業手順等を誘導或いは自動化する業務支援システムの導入が進んできている。業務支援システムは、業務を構成する一連の単位業務プロセスをそれらの実行における順序関係で定義した業務プロセスを作成し、業務プロセスをもとに一連の単位業務プロセスを順次実行し、またその実行に伴うノウハウや成果物を登録できるようにすることで業務を誘導することを可能にしたシステムである。
【０００３】
その一例として、解析業務のプロセスを定義した業務フローテンプレートをもとに業務を実行し、また成果物やノウハウの登録をなすことが知られ、例えば特許文献１に記載されている。
【０００４】
【特許文献１】特開２００３−１５０６５０号公報
【発明の開示】
【発明が解決しようとする課題】
【０００５】
上記従来技術においては、業務プロセスは、事前に作成しておく必要があり、要求仕様を満たすべき機能や性能によって、業務プロセスが変わるような設計業務の場合は、多くの業務プロセステンプレートを作成しておかなければならない。また、業務プロセスの途中における中間的な成果によって、後続の業務プロセスが変わる場合、その分岐ごとに業務プロセスが作成されて無ければならず、複雑な手順を要する解析作業では極めて煩雑であった。
【０００６】
本発明の目的は、上記従来技術の課題を解決し、業務プロセスが要求仕様等により変わるような設計業務，複雑な解析作業であってもユーザに業務プロセスを明確に指示し、業務処理の効率向上を図ることにある。
【課題を解決するための手段】
【０００７】
上記の目的を達成するために、本発明は、コンピュータを用いて、各設計諸元の要求仕様より必要とされる一連の単位業務プロセスの順序を定義した業務プロセスを作成し、設計業務を誘導する業務支援システムにおいて、前記要求仕様が記憶されている要求仕様データと、複数の雛形モデルに対して設計諸元データが記憶されている設計諸元データベースと、前記要求仕様データと各前記雛形モデルの設計諸元データの差異を抽出し、記憶した仕様変更箇所データと、前記単位業務プロセスに対して、先行プロセス，後続プロセス、および工数データが記憶されている単位業務プロセス群データと、前記差異に関連した前記単位業務プロセスが記憶された設計諸元−業務プロセス関連データと、を備え、前記差異と前記設計諸元−業務プロセス関連データとに基づいて前記差異に関連した前記単位業務プロセスを抽出し、抽出された前記単位業務プロセスと前記先行プロセス及び前記後続プロセスとに基づいて前記業務プロセスとなる業務プロセスデータ作成するものである。
【発明の効果】
【０００８】
本発明によれば、仕様変更箇所データにおける差異と設計諸元−業務プロセス関連データとに基づいて単位業務プロセスを抽出し、抽出された単位業務プロセスにおける先行プロセス及び後続プロセスとに基づいて業務プロセスとなる業務プロセスデータ作成するので、要求仕様を満たすために実施する必要のある業務プロセスを複数案作成することができる。
【発明を実施するための最良の形態】
【０００９】
業務フロー作成装置の構成
図１は、業務フロー作成装置を示すシステム構成図である。システム使用者がデータを入力したり表示したりするためのキーボード，ポインティングデバイス，ディスプレイ等からなる入出力装置１０１と、設計における満たすべき機能や性能，形状等が記述されている要求仕様データ１０２と、対象製品の雛形モデルの設計諸元データが記述されている設計諸元データベース１０３と、要求仕様データ１０２と設計諸元データベース１０３における各対象製品の雛形モデルの設計諸元データの変更箇所を抽出した仕様変更箇所データ１０５を作成する仕様変更箇所データ作成部１０４と、仕様変更箇所データ１０５に関係する業務プロセスを単位業務プロセス群データ１０６および設計諸元−業務プロセス関連データ１０７から抽出し、単位業務プロセス群データ１０６に記述されている先行と後続の関係から複数候補の業務プロセスデータ１０９を作成する業務プロセス作成部１０８と、この複数候補の業務プロセスデータ１０９を入出力装置１０１に表示する業務プロセス表示部１１０と、複数候補の業務プロセスデータ１０９から使用する業務プロセスデータ１０９を選択する業務プロセス選択部１１１と、業務プロセスデータ１０９を入出力装置１０１に表示する業務プロセス表示部１１０を備えている。
【００１０】
なお、業務を構成する個々の業務内容を単位業務プロセスと呼び、一連の単位業務プロセスに順序関係を持たせ定義したものを業務プロセスとしている。
【００１１】
また、要求仕様データ１０２と入出力装置１０１にて指定し要求仕様データ１０２として登録する要求仕様データ登録部１１３，雛形モデルデータを入出力装置１０１にて指定し設計諸元データベース１０３に登録する雛形モデル登録部１１４，単位業務プロセスデータを入出力装置１０１にて指定し単位業務プロセス群データ１０６に登録する単位業務プロセス群データ登録部１１５，単位業務プロセスデータを入出力装置１０１にて指定し単位業務プロセス群データ１０６に登録する設計諸元−業務プロセス関連データ登録部１１６を有している。
【００１２】
以下、処理手順の１例を説明する。
【００１３】
要求仕様登録部
図７を参照して、要求仕様登録部１１３の手順を説明する。まず、装置使用者は入出力装置１０１を用いて、要求仕様が記述されたデータファイルを作成し、図７の７０１の要求仕様登録画面の要求仕様データファイル入力フィールド７０２に入力する。
【００１４】
雛形モデル登録部
雛形モデルは、対象業務が対象とする製品における過去に設計した製品や、類似製品、標準化された製品等の雛形モデルの形状や機能，性能等の製品を表現する設計諸元データが記述され、設計諸元データには数値データや文字列データ，図面データ，画像データなどが含まれる。
【００１５】
図７の７０３は雛形モデル登録部１１４を示し、装置使用者は入出力装置１０１を用いて、雛形モデルの設計諸元が記述されたデータファイルを作成し、図７の７０３の雛形モデル登録画面の要求仕様データファイル入力フィールド７０４に入力する。これにより、７０５に記載した雛形モデルデータがあり、７０６に記載した既存の設計諸元データベースがあった場合、７０７の設計諸元データベースが作成される。
【００１６】
単位業務プロセス群データ登録部
図８は、単位業務プロセス群データ登録部１１５の手順を示し、装置使用者は入出力装置１０１を用いて、登録したい単位業務プロセスが記述されたデータファイルを作成し、図８の８０１の単位業務プロセス群データ登録画面の単位業務プロセス群データファイル入力フィールド８０２に入力する。例えば、８０３に記載した登録したい単位業務プロセスデータがあり、８０４に記載した既存の単位業務プロセス群データがあった場合、８０５の単位業務プロセス群データが作成される。
【００１７】
設計諸元−業務プロセス関連データ登録部
図９は、設計諸元−業務プロセス関連データ登録部１１６の手順を示し、装置使用者は入出力装置１０１を用いて、登録したい設計諸元−業務プロセス関連データが記述されたデータファイルを作成し、図９の９０１の設計諸元−業務プロセス関連データ登録画面の設計諸元−業務プロセス関連データファイル入力フィールド９０２に入力する。例えば、９０３に記載した登録したい設計諸元−業務プロセス関連データがあり、９０４に記載した既存の設計諸元−業務プロセス関連データがあった場合、９０５の設計諸元−業務プロセス関連データが作成される。
【００１８】
仕様変更箇所作成部
要求仕様データ１０２と設計諸元データベース１０３における各雛形モデルの設計諸元データの差異部分を抽出し、仕様変更箇所データ１０５として登録する。差異部分とは、数値データの場合は値の同異や大小、文字列の場合は同異、図面データや画像データの場合は類似度を表す。
【００１９】
図３は、仕様変更箇所作成部１０４を示し、要求仕様データ１０２と設計諸元データベース１０３はそれぞれ図３の３０１，３０２が準備されているものとする。要求仕様データ１０２と設計諸元データベース１０３における各雛形モデルの設計諸元データの差異を抽出し、図３の３０３の仕様変更箇所データを出力する。３０３の仕様変更箇所データにおいて、“＝”は同値、“≠”は異なる値、“＞”は要求仕様データの値が設計諸元データの値より大きい、“＜”は要求仕様データの値が設計諸元データの値より小さい、ということを示している。
【００２０】
業務プロセス作成部  
単位業務プロセス群データ１０６には、対象製品における単位業務プロセスが記述される。これには対象業務プロセスの名称やこの業務プロセスの先行業務プロセスの情報と工数データ等を有する。また、品質指標や技術難度指標等の属性データを持たせると良い。
【００２１】
設計諸元−業務プロセス関連データ１０７には、設計諸元の差異に対応して実施すべき単位業務プロセスおよび品質指標や技術難度指標等の属性データが記述される。
【００２２】
業務プロセス作成部１０８は仕様変更箇所データ１０５のデータに基づいて、設計諸元−業務プロセス関連データ１０７から関連する単位業務プロセス群データ１０６を抽出し、先行業務プロセスの関係に基づいてから複数案の業務プロセスデータ１０９を作成する。
【００２３】
図４は作成例であり、仕様変更箇所データ１０５としては図３の３０３が準備されている。また、単位業務プロセス群データ１０６，設計諸元−業務プロセス関連データ１０７はそれぞれ図４の４０１，４０２が準備されている。単位業務プロセス群データ１０６には、Ｐ０１〜Ｐ０８の業務プロセスとその先行プロセス，後続プロセス、および工数データが記述されている。例えば、Ｐ０６はＰ０４を先行プロセスとし、Ｐ０７またはＰ０８を後続プロセスとしており、工数は０.５日と記述されていることを示している。
【００２４】
設計諸元−業務プロセス関連データ１０７には、設計諸元（仕様）に対して、同一場合、異なる場合、ある値以下の場合、以上の場合等の差異状態に応じた関連する業務プロセスとその品質指標や技術難度指標等の属性データが記述されている。図では、圧力が同値の場合（＝）は関連する業務プロセスは存在せず、圧力が要求仕様＜設計諸元データの場合（＜）は業務プロセスのＰ５が関連し、品質指標は８０、技術難度指標は１０となる。同様に、圧力が要求仕様＞設計諸元データの場合（＞）は業務プロセスのＰ５が関連し、品質指標は５０、技術難度指標は９０となることを示している。尚、この例では、品質指標は大きな値ほど品質が良く、小さな値ほど品質が悪くなる方向であることを示し、技術難度指標は大きな値ほど技術的に難しく、小さな値ほど技術的は容易であるとしている。
【００２５】
仕様変更箇所データ１０５（図３の３０３），単位業務プロセス群データ１０６（図４の４０１），設計諸元−業務プロセス関連データ１０７（図４の４０２）から複数案の業務プロセスデータ１０９を作成する。仕様変更箇所データにおける雛形モデル１との差異から関連業務プロセスはＰ０２とＰ０４が抽出される。Ｐ０２の前には先行業務プロセスＰ０１と後続業務プロセスＰ０３又はＰ０４を、Ｐ０４の前には先行業務プロセスＰ０２と後続業務プロセスＰ０６、つまり、Ｐ０７またはＰ０８を実施しなくてはならない。この業務プロセスをツリー構造で記述すると図４の４０３と４０４が作成される。これを仕様変更箇所データにおける雛形モデル２および雛形モデル３との差異から同様に作成した業務プロセスは図４の４０５，４０６，４０７である。
【００２６】
業務プロセス表示部  
業務プロセス表示部では、業務プロセス作成部で作成した業務プロセスデータ１０９または業務プロセス選択部で選択された業務プロセスデータ１１２を入出力装置１０１に表示する。この表示を行う際には工数データや品質指標，技術難度指標も合わせて表示する。また、各単位業務プロセスに対して実施担当者を指定する、もしくは対象業務プロセスに従事するリソース数を指定することにより、担当者またはリソース数、および工数から対象業務プロセスの期間や工程表を表示する。
【００２７】
図５は業務プロセス表示部１１０を示す。ここでは、業務プロセスデータ１０９として、図４の４０３，４０４，４０５，４０６，４０７が準備されている。図４の４０３の業務プロセスはＰ０１，Ｐ０２，Ｐ０３，Ｐ０４，Ｐ０６，Ｐ０７，Ｐ０９であるので、合計工数は単位業務プロセス群データ１０６（図４の４０１）より、合計工数１０日となる。また、業務プロセスを作成した際に参照した仕様変更箇所データ１０５（図３の３０３）と設計諸元−業務プロセス関連データ１０７（図４の４０２）より品質指標や技術難度指標等の属性についても計算する。４０３の業務プロセスの場合の品質指標は４２０、技術難度指標は１５０と分かる。
【００２８】
これらの業務プロセス，工数，品質指標や技術難度指標等の属性、を入出力装置１０１に表示する。工数や品質指標，技術難度指標以外にも他の属性データが単位業務プロセス群データ１０６や設計諸元−業務プロセス関連データ１０７に記述されている場合も同様に処理し、表示する。
【００２９】
表示例が図５の５０１であり、要求仕様を満足するための業務プロセスの複数案を一覧表示すると共に、工数や品質指標，技術難度指標も表示することで、どの業務プロセスを採用するかを判断することが容易となる。
【００３０】
業務プロセス選択部  
複数候補の業務プロセスデータ１０９から使用する業務プロセスデータ１１２を選択する。図５は業務プロセス選択部１１１を示す。図５の５０１に示した業務プロセス候補表示画面に対して、採用する業務プロセスを選択するフィールドがある。これを選択し、実行ボタンを押すことで、選択業務プロセスを業務プロセスデータ１１２として登録する。登録された業務プロセスデータは業務プロセス表示部において入出力装置１０１に表示する。例えば、図５の５０１の操作画面において「業務プロセス５」を選択し、実行した場合、図５の５０２の画面で選択業務プロセスを表示する。
【００３１】
業務プロセス変更部  
作成した業務プロセスに従って業務を進めている際に、中間成果物となるデータに関係する業務プロセスを抽出し、業務プロセスを動的に変更する。対象業務プロセスデータ２０１に関連付けられた中間成果物データ２０２のデータに関係する単位業務プロセスを単位業務プロセス群データ１０６および設計諸元−業務プロセス関連データ１０７から抽出し、単位業務プロセス群データ１０６に含まれる先行と後続の関係から複数候補の業務プロセスデータ１０９を新たに変更して作成する。図６は業務プロセス変更部２０３を示す。図６の６０１は対象業務プロセスを示しているとし、またこの単位業務プロセスの内、Ｐ０９が回転数を検討するものだったとする。ここで、Ｐ０９の検討の結果、回転数が要求仕様の値以下になった場合の事例を説明する。また、単位業務プロセス群データ１０６には図４の４０１，設計諸元−業務プロセス関連データ１０７には図４の４０２が準備されている。設計諸元−業務プロセス関連データ１０７から回転数が要求仕様以下であった場合は、Ｐ０６が関連プロセスとなるので、これを抽出する。さらに、Ｐ０６には後続プロセスとしＰ０７またはＰ０８を実施する必要がある。そこで、業務プロセスデータ１０９として現状の業務プロセスデータにＰ０６とＰ０７もしくはＰ０６とＰ０８を追加した業務プロセスデータを作成し、業務プロセス表示部１１０によりこれを表示する。また、この業務プロセス表示部１１０では、追加／変更となった業務プロセスを強調表示する。この結果が図６の６０２である。追加された業務プロセス、Ｐ０６，Ｐ０７，Ｐ０８が強調表示される。この結果から業務プロセス選択部により採用する業務プロセスを選択することができる。この例では「業務プロセス２」を選択し、その結果が図６の６０３である。
【００３２】
業務フロー作成例（その１）  
図１０を参照して、業務フロー作成の手順を説明する。
【００３３】
本例では設計諸元データベース１０３としては図１０の１００１、単位業務プロセス群データ１０６としては図１０の１００２、設計諸元−業務プロセス関連データ１０７としては図１０の１００３が既に準備されている。また、先に示した例では品質指標や技術難度指標は設計諸元−業務プロセス関連データにのみ記述されていたが、本例では単位業務プロセスにも記述されている例を説明する。
【００３４】
要求仕様データ１０２を要求仕様データ登録部１１３にて指定する。本例は図１０の１００４のデータが指定されたものとする。要求仕様データ１０２はある範囲を持つデータを指定することが良い。
【００３５】
次に、仕様変更箇所作成部１０４にて、仕様変更箇所データ１０５を作成する。本例のデータでは図１０の１００５のデータが作成される。先に示した例では“＝”は同値を表していたが、本例では範囲内を意味し、“＞”は要求仕様データの値が設計諸元データの範囲より大きい、“＜”は要求仕様データの値が設計諸元データの範囲より小さい、ということを示している。
【００３６】
業務プロセス作成部１０８にて、仕様変更箇所データ１０５のデータに基づいて、設計諸元−業務プロセス関連データ１０７から関連する単位業務プロセス群データ１０６を抽出し、先行業務プロセスの関係に基づいてから複数案の業務プロセスデータ１０９を作成する。仕様変更箇所データ１０５（図１０の１００５）における雛形モデル１との差異による関連業務プロセスはＰ０２，Ｐ０６，Ｐ０４が抽出される。このＰ０２，Ｐ０６，Ｐ０４の先行と後続関係からＰ０１，Ｐ０２，Ｐ０３，Ｐ０４，Ｐ０５，Ｐ０６，Ｐ０７，Ｐ０９および、Ｐ０１，Ｐ０２，Ｐ０３，Ｐ０４，Ｐ０５，Ｐ０６，Ｐ０８，Ｐ０９の２種類の業務プロセスデータを作成できる。同様に雛形モデル２，３との差異による業務プロセスを作成すると、図１１の１１０１〜１１０３の３種類の業務プロセスを作成できる。
【００３７】
図１１の１１０１〜１１０３における矢印は先行と後続の関係を表している。次にこれらの得られた業務プロセスを業務プロセス表示部１１０にて表示する。その結果を図１１の１１０４に示す。本例ではリソース数を３名と設定している（図１１の１１０５）。従って、先行と後続の関係から並行して処理できる業務プロセスがある。例えば、１１０３の業務プロセスにおいて、Ｐ０５とＰ０９はＰ０３が終った段階で並行して実施できる。この為、１１０３の業務プロセスの期間はＰ０１，Ｐ０２，Ｐ０３，Ｐ０５及びＰ０１，Ｐ０２，Ｐ０３，Ｐ０９の合計工数の大きいほうが期間となり、６日となる。
【００３８】
また、工程表ボタン１１０６を押下することにより、これを工程表形式で表示する。図１１の１１０１〜１１０３に対応する工程表を図１２の１２０１〜１２０３に示す。平均品質指標値は設計諸元−業務プロセス関連データ１０７での品質指標値の和と単位業務プロセス群データ１０６での品質指標値の和の合計値を設計諸元−業務プロセス関連データ１０７のデータ数（＝５）と業務プロセスの数の合計値で割った値を表示している。技術難度指標値も同様である。
【００３９】
図２は、業務フロー作成装置の他の実施例を示すシステム構成図である。システム使用者がデータを入力したり表示したりするためのキーボード，ポインティングデバイス，ディスプレイ等からなる入出力装置１０１と、対象業務プロセスデータ２０１に関連付けられた中間成果物データ２０２のデータに関係する業務プロセスを単位業務プロセス群データ１０６および設計諸元−業務プロセス関連データ１０７から抽出し、単位業務プロセス群データ１０６に含まれる先行と後続の関係から複数候補の業務プロセスデータ１０９を作成する業務プロセス変更部２０３と、複数候補の業務プロセスデータ１０９を入出力装置１０１に表示する業務プロセス表示部１１０と、複数候補の業務プロセスデータ１０９から使用する業務プロセスデータ１１２を選択する業務プロセス選択部と、業務プロセスデータ１１２を入出力装置１０１に表示する業務プロセス表示部１１０を備えている。
【００４０】
以上、仕様変更箇所データにおける差異に基づいて要求仕様を満たすために実施する必要のある業務プロセスを複数案作成し、どの業務プロセスを採用するかを判断するための基準として、工数（他に、品質評価指標値，技術難度指標値）を表示することができるので、業務プロセスが要求仕様等により変わるような設計業務，複雑な解析作業であってもユーザに業務プロセスを明確に指示し、業務処理の効率向上を行うことができる。
【図面の簡単な説明】
【００４１】
【図１】本発明による一実施形態を示すブロック図。
【図２】本発明による他の実施形態を示すブロック図。
【図３】図１における仕様変更箇所作成部に記憶される各データを示す表。
【図４】図１における業務プロセス作成部に記憶される各データを示す表。
【図５】図１における業務プロセス表示部で表示される画面を示す平面図。
【図６】図１における業務プロセス変更部で表示される画面を示す平面図。
【図７】一実施形態における各データを登録する画面を示す平面図。
【図８】一実施形態における単位業務プロセスのデータを登録する画面を示す平面図。
【図９】一実施形態における設計諸元−業務プロセス関連データを登録する画面を示す平面図。
【図１０】一実施形態における業務プロセスの作成を説明する表。
【図１１】一実施形態において作成された業務プロセスの表示画面を示す平面図。
【図１２】他の実施形態において作成された業務プロセスの表示画面を示す工程図。
【符号の説明】
【００４２】
１０１  入出力装置
１０２  要求仕様データ
１０３  設計諸元データベース
１０５  仕様変更箇所データ
１０６  単位業務プロセス群データ
１０７  設計諸元−業務プロセス関連データ
１０９  業務プロセスデータ
１１０  業務プロセス表示部
１１１  業務プロセス選択部
１１４  雛形モデル登録部
１１５  単位業務プロセス群データ登録部
１１６  設計諸元−業務プロセス関連データ登録部
【図１】
2009104562.tif 000003
【図２】
2009104562.tif 000004
【図３】
2009104562.tif 000005
【図４】
2009104562.tif 000006
【図５】
2009104562.tif 000007
【図６】
2009104562.tif 000008
【図７】
2009104562.tif 000009
【図８】
2009104562.tif 000010
【図９】
2009104562.tif 000011
【図１０】
2009104562.tif 000012
【図１１】
2009104562.tif 000013
【図１２】
2009104562.tif 000014